(57)【要約】【課題】絨毯等の毛足の長い床面を清掃する場合においても、回転ブラシを容易に回転させることができる電気掃除機用床ノズルを提供する。【解決手段】清掃領域と走行領域を有する床ノズル本体４と、この床ノズル本体４に回転自在に支持された駆動用ローラー１１，１１Ａと、この駆動用ローラー１１，１１Ａの回転に伴って回転ブラシ６を正逆回転させる伝達機構とを備え、清掃領域は下面に吸込口を有し、この吸込口に臨ませて床ノズル本体に回転ブラシ６が回転自在に支持されてあると共に、走行領域は床ノズル本体４に駆動用ローラー１１，１１Ａが回転自在に支持されてあり、走行領域における床ノズル本体４の底面Ｂ２２と被清掃面Ｃ１９との高さｂ２１を、清掃領域における床ノズル本体４の底面Ａ１８と被清掃面Ｃ１９との高さａ２０よりも大に設定した。【選択図】図７
2014138693.tif 000002
【特許請求の範囲】
【請求項１】
清掃領域と走行領域を有する床ノズル本体と、前記床ノズル本体に回転自在に支持された駆動用ローラーと、該駆動用ローラーの回転に伴って回転ブラシを正逆回転させる伝達機構とを備え、前記清掃領域は下面に吸込口を有し前記吸込口に臨ませて前記床ノズル本体に前記回転ブラシが回転自在に支持されてあると共に、前記走行領域は前記床ノズル本体に前記駆動用ローラーが回転自在に支持されてあり、前記走行領域における床ノズル本体の底面と被清掃面との高さを、前記清掃領域における床ノズル本体の底面と被清掃面との高さよりも大に設定したことを特徴とする電気掃除機用床ノズル。
【請求項２】
走行領域における床ノズル本体の底面を含む平面と、清掃領域における床ノズル本体の底面を含む平面とは、平行でないことを特徴とする請求項１に記載の電気掃除機用床ノズル。
【請求項３】
走行領域における床ノズル本体の底面を含む平面は、清掃領域における床ノズル本体の底面を含む平面にたいして床ノズル本体の後方へ行く程、被清掃面との高さが大になるよう設定したことを特徴とする請求項２に記載の電気掃除機用床ノズル。
【請求項４】
底面の前方に横長の吸込口を設けた清掃領域、後方に走行領域を有した床ノズル本体に、前記吸込口内に回転自在に支持された回転ブラシと、一端が前記吸込み口に連通し、他端が前記床ノズルの後方に突出する接続管と、前記清掃領域に走行用ローラーと、前記走行領域に駆動用ローラーと、該駆動用ローラーの回転力を前記回転ブラシに伝達する伝達機構とをそれぞれ備え、前記駆動用ローラーは、前記接続管の両側に近接するよう床ノズル本体の後面から前面側に、かつ底面から上面まで切り欠かれた車輪収納部にその両端を回転自在に支持され、前記伝達機構は、前記駆動用ローラーの外側に設けられ、被清掃面と走行領域の底面との距離は、前記被清掃面と前記清掃領域の底面までの距離より大としたことを特徴とする電気掃除機用床ノズル。
【発明の詳細な説明】
【技術分野】
【０００１】
本発明は、塵埃掻き上げ用の回転ブラシを回転させる駆動用ローラーを有する電気掃除機用床ノズルに関するものである。
【背景技術】
【０００２】
従来から、この種の電気掃除機用床ノズルには、床面上の塵埃を、床面から効率よく掻き取るために回転ブラシを用いていた。この回転ブラシの回転駆動力として電動機や、掃除機本体の吸引気流により回転するファン等を用いていたのが一般的であった。しかしながら、電動機を用いると、床ノズルが重くなることや、省エネの観点からやや難点があったり、ファンを用いる場合は、ファンが高速回転となり、騒音の発生源となったりしていた。これらを、解決するために、床ノズル本体に回転自在に支持された車輪を駆動用ローラーとして用い、該駆動用ローラーの回転に連動して回転ブラシを正逆回転させる伝達機構を有する電気掃除機用床ノズルが知られている（特許文献１、特許文献２）。
【０００３】
また、床面における吸込み性能や、その走行性を確保しつつ、絨毯の毛足の変形を減少させるために、床ノズルの下部ケースを、後部車輪を備えた後側下部ケースと、前部車輪と回転ブラシとを備えた前側下部ケースとから構成し、前記後側下部ケースの底面を、前記前側下部ケースの底面よりも上方に位置させた電気掃除機用床ノズルが知られている。（特許文献３）。
【先行技術文献】
【特許文献】
【０００４】
【特許文献１】特開平１１−９５２１号公報
【特許文献２】実開平０１−９９３４９号公報
【特許文献３】特開平１１−２９９７１２号公報
【発明の概要】
【発明が解決しようとする課題】
【０００５】
上記特許文献１に開示されている電気掃除機用床ノズルは、回転ブラシの回転を駆動用ローラー（車輪）の回転と連動させているので、軽量、省エネや低騒音という効果を有するものであったが、駆動用ローラーが床ノズル本体の側面に設けられているので、壁際等の清掃時に壁等に接触しやすく、回転不足や、衝突による変形等も生じやすい。また、敷居等の清掃時、駆動輪が側面にあるため、敷居からはみ出し易く、回転不良となり易い。さらに、清掃時の操作力は、掃除機本体側と接続される接続管（連結管）を介して駆動用ローラーに伝達されるが、接続管（連結管）近傍は、床ノズル本体のたわみが最大となり、すなわち被清掃面との距離は短くなる。これにより、毛足の長い絨毯等の被清掃面との間には摩擦抵抗が大きくなり、駆動用ローラーの回転力の低下につながり易い。いずれも、回転ブラシの回転力の低下、すなわち、清掃効率の低下につながるという課題を有している。
【０００６】
また、駆動用ローラー（車輪）の回転軸は、本体ケースに片軸支持されているために、両軸支持に比べ、回転軸が偏芯回転しやすく、前記片軸は強固に支持する必要が生じ、その構造が複雑になり易く、さらに、伝達機構が、駆動用ローラー（車輪）より中央側に配置されているために、駆動力は、最初に中央側に伝達され、その後、歯車機構等を介し、床ノズル本体の側面に設けられている駆動用ローラー（車輪）近傍の回転ベルト（伝動ベルト）に、戻って伝達しなければならず、その構造も複雑になるという課題も有している。
【０００７】
さらにまた、電気掃除機用床ノズルの底面において、回転ブラシが設置されている近傍の底面と、駆動用ローラー（車輪）が設置されている近傍の底面とがほぼ同一平面上にあることから、絨毯等の毛足の長い床面では、毛先が前記底面に接触してしまい駆動用ローラー（車輪）と床面との摩擦抵抗が弱くなり、床ノズルを前後方向に動かしても駆動用ローラー（車輪）が回転しにくくなり、駆動用ローラー（車輪）の回転に連動する回転ブラシも回転しにくくなるという課題を有している。
【０００８】
また、上記特許文献２に開示されている電気掃除機用床ノズルは、回転ブラシの回転を駆動用ローラー（転動ローラ）の回転と連動させているので、回転ブラシ（ローター）は円滑かつ確実に回動して、絨毯掃除の機能を大きく向上させるという効果を有するものであるが、駆動用ローラー（転動ローラ）は、接続管（継手）の下方、すなわち、電気掃除機用床ノズルの底面側に設けられているので、駆動用ローラーは小径となり、絨毯等の毛足の長い床面では、駆動用ローラー（転動ローラ）は、毛足の中に沈んでしまい、毛足が絡まり易く回転不良が生じやすく、さらに、回転ブラシ（ローター）が設置されている近傍の底面と、駆動用ローラー（転動ローラ）が設置されている近傍の底面とがほぼ同一平面上にあることから、絨毯等の毛足の長い床面では、毛先が前記底面にも強固に接触して、前記底面を浮き上がらせる力が働き、駆動用ローラー（転動ローラ）と床面との摩擦抵抗が弱くなることから、床ノズルを前後方向に動かしても駆動用ローラー（転動ローラ）が回転しにくくなり、駆動用ローラー（転動ローラ）の回転に連動する回転ブラシも回転しにくくなるという課題も有している。
【０００９】
上記特許文献３に開示されている電気掃除機用床ノズル（床用吸込具）は、絨毯等の毛足の長い床面において、絨毯等の毛足の変形を防ぐことに効果を有するものであったが、後部車輪が、床ノズルの底面側に配置されている。すなわち、後部車輪を大径にできないため、後部車輪の最下部と床ノズルの底面との隙間は大きく取れない。したがって、長い絨毯等の中に沈みやすく、毛足が後部車輪に絡まり易く回転不良が生じやすい。なおも、使用者にその回転状況は解りにくく、結果的に、回転ブラシによる被清掃面の塵埃除去状況も不明となる。さらに、回転ブラシの回転駆動源は、駆動用ローラー（後部車輪）ではないため、省エネという観点からも課題が生じている。
【００１０】
本発明は、上記のような課題を解決する為になされたもので、絨毯等の毛足の長い床面を清掃する場合においても、駆動用ローラーを確実に回転させ、この回転力により回転ブラシを回転させ清掃効率の向上を図り、かつ、回転ブラシの回転状況が駆動用ローラーを介して使用者が容易に認識できる電気掃除機用床ノズルを提供することを目的としている。
【課題を解決するための手段】
【００１１】
上記従来の課題を解決する為に、請求項１の電気掃除機用床ノズルの発明は、清掃領域と走行領域を有する床ノズル本体と、前記床ノズル本体に回転自在に支持された駆動用ローラーと、該駆動用ローラーの回転に伴って回転ブラシを正逆回転させる伝達機構とを備え、前記清掃領域は下面に吸込口を有し前記吸込口に臨ませて前記床ノズル本体に前記回転ブラシが回転自在に支持されてあると共に、前記走行領域は前記床ノズル本体に前記駆動用ローラーが回転自在に支持されてあり、前記走行領域における床ノズル本体の底面と被清掃面との高さを、前記清掃領域における床ノズル本体の底面と被清掃面との高さよりも大に設定したことを特徴としている。したがって、絨毯等の毛足の長い床面を清掃する場合でも、走行領域の底面と被清掃面との高さを大きくしておくことによって、毛先と走行領域の底面との摩擦抵抗は少なくなり、駆動用ローラーに摩擦抵抗を与えることができるので、駆動用ローラーを回転させることができ、駆動用ローラーの回転に連動する回転ブラシを回転させることができる。さらに、走行領域での絨毯の毛先側を変形させにくくすることもできる。
【００１２】
請求項２の発明は、請求項１に記載の構成よりなる電気掃除機用床ノズルにおいて、走行領域における床ノズル本体の底面を含む平面と、清掃領域における床ノズル本体の底面を含む平面とは、平行でないことを特徴としている。上記構成によって、電気掃除機用床ノズルを前方向に移動させる場合において、清掃領域における床ノズル本体の底面と床面との高さを大きくすることができ、絨毯等の毛足の長い床面を清掃する場合でも毛足が倒れて潰れることを防ぐことができる。
【００１３】
請求項３の発明は、請求項２に記載の構成よりなる電気掃除機用床ノズルにおいて、走行領域における床ノズル本体の底面を含む平面は、清掃領域における床ノズル本体の底面を含む平面にたいして床ノズル本体の後方へ行く程、被清掃面との高さが大になるよう設定したことを特徴としている。電気掃除機用床ノズルは、前方向に移動させるだけでなく、後方向にも移動させるものであるので、清掃領域と走行領域の境界近傍が最も床面に近づき、該境界近傍から遠ざかるほど床面との高さが大になるように構成すれば、絨毯等の毛足の長い床面の清掃において、車輪が移動する前後方向において、車輪が床面にたいして摩擦抵抗を与えることができ、常に車輪を回転させて、車輪の回転に連動する回転ブラシを回転させることができる。
【００１４】
請求項４の発明は、底面の前方に横長の吸込口を設けた清掃領域、後方に走行領域を有する床ノズル本体に、前記吸込口内に回転自在に支持された回転ブラシと、一端が前記吸込み口に連通し、他端が前記床ノズルの後方に突出する接続管と、前記清掃領域に走行用ローラーと、前記走行領域に駆動用ローラーと、該駆動用ローラーの回転力を前記回転ブラシに伝達する伝達機構とをそれぞれ備え、前記駆動用ローラーは、前記接続管の両側に近接するよう床ノズル本体の後面から前面側に、かつ底面から上面まで切り欠かれた車輪収納部にその両端を回転自在に支持され、前記伝達機構は、前記駆動用ローラーの外側に設けられ、被清掃面と走行領域の底面との距離は、前記被清掃面と前記清掃領域の底面までの距離より大としたことを特徴としている。これにより、床ノズル本体を操作する操作力は、接続管を介して、その両軸を保持された駆動用ローラーに確実に伝達され、その回転力が、伝達機構を介してロスすることなく回転ブラシに伝達され、清掃効率向上に役立つことができる。
【発明の効果】
【００１５】
請求項１の発明では、伝達機構が駆動用ローラーの正逆回転に連動して回転ブラシを回転させることができ、毛等の多少のごみが回転ブラシに絡まった場合でも回転ブラシの回転が停止することが無い。また、絨毯等の毛足の長い床面を清掃する場合でも、走行領域の底面と被清掃面との高さを大きくしておくことによって、駆動用ローラーに摩擦抵抗を与えることができるので、駆動用ローラーを回転させることができ、駆動用ローラーの回転に連動する回転ブラシを回転させることができる。
【００１６】
また、請求項２の発明では、電気掃除機用床ノズルを前方向に移動させる場合において、清掃領域における床ノズル本体の底面と床面との高さを大きくすることができ、絨毯等の毛足の長い床面を清掃する場合でも毛足が倒れて潰れることを防ぐことができる。また、請求項３の発明では、絨毯等の毛足の長い床面の清掃において、駆動用ローラーが移動する前後方向において摩擦抵抗を与えることができ、常に駆動用ローラーを回転させることができ、駆動用ローラーの回転に連動する回転ブラシを回転させることができる。
【００１７】
また、請求項４の発明では、駆動用ローラーを接続管の両側近傍に設けることで、接続管を介して伝達される操作力は、確実に駆動用ローラーに伝達され、その回転力も回転ブラシに伝達され、清掃効率の向上に寄与する。さらに、伝達機構を、駆動用ローラーの外側に配置したので、駆動用ローラーの回転力は、直線的に回転ベルトを介して、回転ブラシに伝達されるので、部品点数の削減にも寄与できる。さらにまた、駆動用ローラーを回転自在に収納支持する車輪収納部は、その上面が開口しているので、使用者に駆動用ローラーの回転が良く見え、これにより、回転ブラシの回転状況も分かり、床面の清掃効率の向上に役立つ。なおも、絨毯等の毛足の長い床面清掃時において、上面が開口しているので、毛先が上面と駆動用ローラーとの間に挟まり、駆動用ローラーの回転停止に至ることを防止できる。さらに、上面が開口しているので、必要に応じて駆動用ローラーを大径化することも容易であり、床ノズルの操作力の軽減化等に対応できる。
【図面の簡単な説明】
【００１８】
【図１】本発明に係る電気掃除機用床ノズルを、電気掃除機本体に取り付けた状態を示す斜視図
【図２】本発明に係る電気掃除機用床ノズルの斜視図
【図３】同正面図
【図４】同背面図
【図５】同平面図
【図６】同右側面図
【図７】図３のＡ−Ａ断面図
【図８】本発明に係る電気掃除機用床ノズルの上カバーを取り外した状態の斜視図
【図９】同正面図
【図１０】本発明を構成する回転ブラシの斜視図
【図１１】同断面図
【図１２】本発明に係る電気掃除機用床ノズルの第２実施形態を示す背面図
【図１３】本発明に係る電気掃除機用床ノズルの第３実施形態を示す背面図
【図１４】本発明に係る電気掃除機用床ノズルの第４実施形態を示す背面図
【発明を実施するための形態】
【００１９】
以下、本発明の実施形態について、図面を参照しながら説明する。図1は、本発明に係る電気掃除機用床ノズルを、電気掃除機本体に取りつけた状態を示す斜視図。図２は、本発明に係る電気掃除機用床ノズルの斜視図であり、図３は、同正面図、図４は、同背面図、図５は、同平面図、図６は、同右側面図である。また、図７は、図３のＡ−Ａ断面図である。さらに、図８は、本発明に係る電気掃除機用床ノズルの上カバーを取り外した状態の斜視図であり、図９は、同正面図である。
【００２０】
図１〜図９を用いて本発明に係る電気掃除機用床ノズル１０の詳細について説明する。床ノズル１０は延長管５０に、該延長管５０は操作部５１を有するホース５２に、該ホース５２は電動送風機（図示せず）等を内蔵する電気掃除機本体５３に、それぞれ接続されている。床ノズル１０は、上ケース１と、下面の前方に横長の吸込口２を下ケース３とを有する床ノズル本体４を備えている。また、床ノズル本体４の外周には、掃除の際に家具などへの傷付を防止するためのバンパー５が設けられている。
【００２１】
床ノズル本体４には、吸込み口２連通する回転ブラシ室７が設けられ、該回転ブラシ室７に回転ブラシ６が回転自在に収納されている。また、接続管８は、床ノズル本体４を左右に分割するようその中央部に収納され、前端部は回転ブラシ室７に連通し、前端部の両側に形成された軸部８ａが、上ケース１と下ケース３により、床ノズル本体４の後方から前方に所定角度だけ傾動自在に支持されて、後端部は、床ノズル本体４の後部から突出しており、延長管５０に接続される。なお、軸部８ａは、後述する走行用ローラー９より、後述する駆動用ローラー１１、１１Ａに近接しており、延長管５０を介して床ノズル本体４を走行させる操作力を後述する駆動用ローラー１１、１１Ａに、より確実にロスすることなく伝達させて、回転させるためである。
【００２２】
床ノズル本体４の下ケース３の前部には、走行用ローラー９、９が設けられており、この走行用ローラー９、９は、床ノズル本体４に回転自在に支持されている。そして、走行用ローラー９は、床ノズル１０をフローリングなどの被清掃面に置いたとき、その掃除面と下ケース３の底面との間に所定の隙間を確保して、床ノズル１０が掃除面に密着して操作性が悪くなることを防いでいる。
【００２３】
接続管８の両側には、駆動用ローラー１１、１１Ａが有り（１１Ａは後述する、伝達機構１２に連結される駆動用ローラー）、ノズル本体４の後面から前面部に向け所定幅で所定長さ寸法だけ切り欠かれ、その上面と底面が開口している駆動輪収納部１３に、その両側を正逆回転自在に支持されている。これにより、毛足の長い絨毯清掃の場合、前記上面が閉口していると、毛先側が駆動用ローラー１１、１１Ａの上面と前記閉口面との間に挟まり回転を阻害するが、開口によりこれを防止している。さらに、駆動用ローラー１１、１１Ａは、前記上面が開口しているために、その直径は、必要に応じて大径化が可能である。もちろん、使用者にとって、駆動用ローラー１１Ａの回転状況も確実に目視でき、万一、回転が停止しても、その対応が確実に行える。なおも、駆動用ローラー１１、１１Ａの外表面に塵埃が付着した場合、この塵埃が、逆に床面に付着して汚す恐れがあるが、事前に駆動用ローラー１１、１１Ａの汚れ除去等の対応が可能となる。なお、駆動ローラー１１、１１Ａの上端部は、床ノズル本体４の上面近傍に位置するように大径になっており、その回転状況が判り易く、毛足の長い絨毯等では、床ノズル１０は自重で沈むが、大径に形成された駆動用ローラー１１、１１Ａは、その接地面積が増し、床面との摩擦もより受けやすく、すなわち、確実に回転するように構成されている。なお、駆動用ローラー１１、１１Ａは、その上面が、床用ノズル本体４の上面より突出するような大きさにすることも可能で、よりその回転状況を判り易くすることが出来る。また、伝達機構１２は、各々の駆動用ローラー１１、１１Ａにたいして形成することもできる。
【００２４】
駆動用ローラー１１、１１Ａの外周面には、多数の切溝１１ｂが、その回転方向に対し直角方向に形成されてあり、その回転時において、床面とのスリップを防止するためのものであるとともに、使用者にとって、その回転状況が光の乱反射により解り易い。なお、この切溝１１ｂに外表面とは異なった配色を施せば、より使用者にその回転状況が良く解る。また、この駆動用ローラー１１、１１Ａは、走行用ローラー９、９より、その幅と直径も大きく形成されているので、床ノズル１０の走行操作力を確実に受けることができる。そして、駆動用ローラー１１Ａが回転すると、伝達機構１２を介して回転ブラシ６が回転する構成となっている。尚、駆動用ローラー１１Ａの正回転及び逆回転の両回転に連動して、回転ブラシ６も正回転及び逆回転の両回転をするように構成されている。
【００２５】
なお、駆動用ローラー１１Ａの回転状況が判るということは、回転ブラシ６の回転状況すなわち、床面の清掃状態が判るので、例えば、汚れの多い個所は、床ノズル１０を何往復も移動させたり、あるいは、万一非回転の時は、使用をやめ、その原因等の対応が可能である。
【００２６】
伝達機構１２は、図８及び図９に示すように、駆動用ローラー１１Ａの外側に収納されており、ギア１２ａと、ギア１２ｂと、回転ベルトのギア１２ｃ、１２ｄと、床ノズル本体４の側面側に位置する回転ベルト１２ｅとを備えている。そして、駆動用ローラー１１Ａが回転すると、同軸のギア１２ａが回転し、このギア１２ａと噛合っているギア１２ｂが回転する。さらに、ギア１２ｂと同軸の回転ベルトのギア１２ｃが回転し、回転ベルト１２ｅを介して回転ベルトのギア１２ｄが回転する。回転ベルトのギア１２ｄは、回転ブラシ６と同軸となっているため、回転ベルトのギア１２ｄの回転によって回転ブラシ６が回転する構成となっている。この構成により、駆動用ローラー１１Ａの回転力は、直線的にロスなく一方向に伝達できる。
【００２７】
尚、伝達機構１２は駆動用ローラー１１Ａが１回転すると、これに連動して、回転ブラシ６は、それ以上回転するように回転比を設定している。
【００２８】
上述した床ノズル本体４は、図４に示すように、回転ブラシ室７の後方を境にして前側を清掃領域Ａ２４とし、後側を走行領域Ｂ２５と定義すると、清掃領域Ａ２４には、走行用ローラー９、９と、回転ブラシ６とが設置されており、走行領域Ｂ２５には、駆動用ローラー１１、１１Ａと、接続管８とが設置されている。伝達機構１２は、清掃領域Ａ２４と走行領域Ｂ２５とを跨いで設置されている。尚、駆動用ローラー１１、１１Ａの一部は、走行領域Ｂ２５からはみ出させることによって、床ノズル本体４を小型化している。
【００２９】
ここで、図７に示すように、走行領域Ｂ２５における床ノズル本体４の底面Ｂ２２と被清掃面Ｃ１９との高さｂ２１を、清掃領域Ａ２４における床ノズル本体４の底面Ａ１８と被清掃面Ｃ１９との高さａ２０よりも大となるように設定している。このように構成することによって、絨毯等の毛足の長い床面を清掃する場合でも、駆動用ローラー１１Ａに摩擦抵抗を与えることができるので、駆動用ローラー１１Ａを回転させることができ、駆動用ローラー１１Ａの回転に連動する回転ブラシ６を回転させることができる。
【００３０】
また、図７に示すように、走行領域Ｂ２５における床ノズル本体４の底面Ｂ２２を含む平面と、清掃領域Ａ２４における床ノズル本体４の底面Ａ１８を含む平面とは、平行ではなく、走行領域Ｂ２５における床ノズル本体４の底面Ｂ２２を含む平面は、清掃領域Ａ２４における床ノズル本体４の底面Ａ１８を含む平面にたいして床ノズル本体４の後方へ行く程、被清掃面Ｃ１９との高さ２１が大になるよう設定している。
【００３１】
このように構成することによって、電気掃除機用床ノズル１０を前方向に移動させる場合において、清掃領域Ａ２４における床ノズル本体４の底面Ａ１８と被清掃面Ｃ１９との高さａ２０を大きくすることができ、絨毯等の毛足の長い床面を清掃する場合でも毛足が倒れて潰れることを防ぐことができる。また、電気掃除機用床ノズル１０は、前方向に移動させるだけでなく、後方向にも移動させるものであるので、清掃領域Ａ２４と走行領域Ｂ２５の境界近傍が最も被清掃面Ｃ１９に近づき、該境界近傍から遠ざかるほど被清掃面Ｃ１９との高さｂ２１が大になるように構成すれば、絨毯等の毛足の長い床面の清掃において、駆動用ローラー１１Ａが移動する前後方向において、駆動用ローラー１１Ａが床面にたいして摩擦抵抗を与えることができ、常に駆動用ローラー１１Ａを回転させることができ、駆動用ローラー１１Ａの回転に連動する回転ブラシ６を回転させることができる。
【００３２】
図１０は、本発明の電気掃除機用床ノズル１０を構成する回転ブラシ６の斜視図であり、図１１は、同断面図である。これらの図に示すように、回転ブラシ６は、アルミニウムなどの金属製の材料からなり、外周面の長手方向に均等に４本の溝部１４ａ、１４ａ、１４ａ、１４ａを外方に開口するように設けたロータ１４と、溝部１４ａに嵌合装着される基部１５ａと、略帯状に形成されたブラシ部１５ｂとを備えた清掃体１５とによって構成されている。
【００３３】
そして、図１１に示すように、回転ブラシ６は、清掃体１５の毛丈方向の延長線Ａ２６がロータ１４の回転中心Ｂ２７を通らないように、形成されている。このように構成することによって、従来の如く、清掃体の毛丈方向の延長線がロータの回転中心を通る場合と比べて、回転ブラシ６の回転方向にたいして前側の清掃体１５は、被清掃面により鈍角に接触するので、より拭き掃き効果を有すると共に、回転ブラシ６の回転方向にたいして後側の清掃体１５は、被清掃面により鋭角に接触するので、より掻き出し効果を有することができる。その為、回転ブラシ６は、毛丈の長い絨毯等に付着している塵埃を、効率よく掻き出すことができると共に、拭き掃きすることができる。
【００３４】
図１２は、本発明に係る電気掃除機用床ノズルの第２実施形態を示す背面図である。この実施形態における床ノズル１０ａは、床ノズル本体４の走行領域の底面を、走行方向に対して略平行な長手方向に、凸部１６ａと凹部１６ｂとが交互に連続して形成された波形の曲面１６にて形成している。このように波形の曲面１６を形成することによって、床ノズル本体４の走行領域の底面が毛足の長い絨毯等に接触する時に、絨毯等の毛先が凸部１６ａにたいして線接触する為、毛足の長い絨毯等にたいする摩擦抵抗の低減を図る事ができ、スムーズに床ノズルを操作することができる。また、吸込み気流を波形の曲面１６に沿って回転ブラシ室７内に取り込むことができる為、毛丈の長い絨毯内部の塵埃を、より効率よく除去できる。
【００３５】
図１３は、本発明に係る電気掃除機用床ノズルの第３実施形態を示す背面図である。この実施形態における床ノズル１０ｂは、駆動用ローラー１１Ａの近傍に車輪ロック手段１７を設置している。この車輪ロック手段１７は、回転ブラシ６に、毛丈の長い塵埃等が絡まり回転ブラシ６の回転がロックされた場合には伝達機構１２を介して駆動用ローラー１１の回転がロックされる。その時、無理に駆動用ローラー１１Ａを回転させると、駆動用ローラー１１Ａにて被清掃面１９を傷つけてしまう恐れがあると共に、伝達機構１２が破壊される恐れがあるので、これを防ぐために、例えば、所定のギアをバネ等で付勢して押し付ける事により駆動用ローラー１１Ａに所定値以上のトルクが付加された場合には、ギアが外れる構成を採用したり、タイミングベルトが、駆動用ローラー１１Ａに所定値以上のトルクが付加された場合にはスリップして一時的に伝達しない構成を採用して、伝達機構１２と駆動用ローラー１１Ａとの連結を解除するように車輪ロック手段１７が機能する構成としている。
【００３６】
図１４は、本発明に係る電気掃除機用床ノズルの第４実施形態を示す平面図である。この実施の形態における駆動用ローラー１１Ａの床ノズル１０ｃにおける収納位置は、接続管に８により近く形成してあり、接続管８の外側から、床ノズル１０ｃの外側面までの距離をＬとし、接続管８の外側から駆動用ローラー１１Ａの回転方向の中心線までの距離をＩとすると、Ｌ≧２Ｉが望ましい。これにより、延長管５０を介して操作部５１からの操作力は、接続管８に伝わるが、駆動用ローラー１１Ａが、接続管８の近傍に配置されているために、下ケース３のたわみを防止でき、確実にロスなく駆動用ローラー１１Ａに伝わるので、駆動用ローラー１１Ａは回転することができる。しかも、敷居等の段差のある床面の清掃時においても、駆動用ローラー１１Ａは、はみ出しにくくなる。すなわち、回転ブラシは、確実に回転して、その清掃効率を、安定かつ向上させることができる。なお、本発明の各実施の形態の組み合わせは、自由に行うことができるものである。
【産業上の利用可能性】
【００３７】
本発明の電気掃除機用床ノズルは、電気掃除機の延長管の端部に連結して使用する。
【符号の説明】
【００３８】
１  上ケース
２  吸込口
３  下ケース
４  床ノズル本体
５  バンパー
６  回転ブラシ
７  回転ブラシ室
８  接続管
９  走行用ローラー
１０、１０ａ、１０ｂ  床ノズル
１１、１１Ａ  駆動用ローラー
１１ｂ  切溝
１２  伝達機構
１２ａ、１２ｂ、１２ｃ、１２ｄ  ギア
１２ｅ  回転ベルト
１３  車輪収容部
１４  ロータ
１４ａ  溝部
１５  清掃体
１５ａ  基部
１５ｂ  ブラシ部
１６  曲面
１６ａ  凸部
１６ｂ  凹部
１７  車輪ロック手段
１８  底面Ａ
１９  被清掃面Ｃ
２０  高さａ
２１  高さｂ
２２  底面Ｂ
２４  清掃領域Ａ
２５  走行領域Ｂ
２６  延長線Ａ
２７  回転中心Ｂ
【図１】
2014138693.tif 000003
【図２】
2014138693.tif 000004
【図３】
2014138693.tif 000005
【図４】
2014138693.tif 000006
【図５】
2014138693.tif 000007
【図６】
2014138693.tif 000008
【図７】
2014138693.tif 000009
【図８】
2014138693.tif 000010
【図９】
2014138693.tif 000011
【図１０】
2014138693.tif 000012
【図１１】
2014138693.tif 000013
【図１２】
2014138693.tif 000014
【図１３】
2014138693.tif 000015
【図１４】
2014138693.tif 000016